(57)【要約】【課題】  照明装置の光源から発される光によって、従来にない特異な雰囲気的効果を室内に演出することのできる照明装置及びテーブルを提供する。【解決手段】  脚部８，９と、脚部８，９に支持される天板１２，２２とを備えるテーブルに取り付け可能な照明装置１０，２０であって、下方を照らす光源（１８，２４）を備え、光源（１８，２４）が天板１２の下方に配置され、脚部８，９で支持される照明装置１０，２０または、同照明装置を備えるテーブル１００，２００とした。【選択図】図１
2018107074.tif 000002
【特許請求の範囲】
【請求項１】
脚部と、前記脚部に支持される天板とを備えるテーブルに取り付け可能な照明装置であって、
下方を照らす光源を備え、
前記光源が前記天板の下方に配置され、前記脚部で支持されることを特徴とする照明装置。
【請求項２】
前記脚部は対向配置される一対の脚部材を含み、前記光源は、前記一対の脚部材の上端間に懸架されるブリッジ状の光源保持部材に保持されることを特徴とする請求項１記載の照明装置。
【請求項３】
前記光源保持部材の両端に、前記脚部材の上端に係止可能な係止部を有することを特徴とする請求項２記載の照明装置。
【請求項４】
前記光源保持部材の長さが、伸縮自在に設けられていることを特徴とする請求項２又は３のいずれかに記載の照明装置。
【請求項５】
前記脚部の少なくとも上端付近が透明若しくは透光性の樹脂またはガラスからなり、
前記光源が前記脚部の前記上端付近に配置されることを特徴とする請求項１記載の照明装置。
【請求項６】
前記光源が、前記脚部の前記上端付近に配置された透明若しくは透光性の樹脂またはガラスからなる光源保持部材に設置されていることを特徴とする請求項５記載の照明装置。
【請求項７】
前記光源が、有機ＥＬまたはＬＥＤを備えた面状光源であることを特徴とする請求項１〜６のいずれか一項に記載の照明装置。
【請求項８】
請求項１〜７のいずれかに記載の照明装置を備えるテーブル。
【発明の詳細な説明】
【技術分野】
【０００１】
本発明は、脚部と同脚部に支持される天板とを備えるテーブルに取り付け可能な照明装置、及び、同照明装置を備えるテーブルに関する。
【背景技術】
【０００２】
従来、上記のような照明装置及び同照明装置を備えるテーブルに関する技術として下記の特許文献１に記された発明がある。この特許文献１に記されたテーブルは、天板としてステンドグラスを用い、脚部に取り付けられた照明器具から発される上向きの光が、ステンドグラスからなる天板を下方から上方に通過することで、ステンドグラスに描かれた図柄を鑑賞できる構造とされている。
【先行技術文献】
【特許文献】
【０００３】
【特許文献１】特開平９−２０６１３５号公報（０００４段落、図１）
【発明の概要】
【発明が解決しようとする課題】
【０００４】
しかし、特許文献１に記された照明装置及びテーブルでは、光源から発される光が届く範囲はテーブルの天板内部及び天板上部に限られるため、その光によって室内に演出される雰囲気的な効果も限定的であり、平凡さの範囲を超えるものではなかった。
【０００５】
そこで、本発明は、上記従来の問題に鑑みてなされたものであり、その目的は、光源から発される光によって、従来にない特異な雰囲気的効果を室内に演出することのできる照明装置及び同照明装置を備えるテーブルを提供することにある。
【課題を解決するための手段】
【０００６】
請求項１の発明は、脚部と、前記脚部に支持される天板とを備えるテーブルに取り付け可能な照明装置であって、下方を照らす光源を備え、前記光源が前記天板の下方に配置され、前記脚部で支持されることを特徴とする照明装置である。
【０００７】
請求項２の発明は、請求項１に記載の照明装置において、前記脚部は対向配置される一対の脚部材を含み、前記光源は、前記一対の脚部材の上端間に懸架されるブリッジ状の光源保持部材に保持されることを特徴とする。
【０００８】
請求項３の発明は、請求項２に記載の照明装置において、前記光源保持部材の両端に、前記脚部材の上端に係止可能な係止部を有することを特徴とする。
【０００９】
請求項４の発明は、請求項２又は３のいずれかに記載の照明装置において、前記光源保持部材の長さが、伸縮自在に設けられていることを特徴とする。
【００１０】
請求項５の発明は、請求項１に記載の照明装置において、前記脚部の少なくとも上端付近が透明若しくは透光性の樹脂またはガラスからなり、前記光源が前記脚部の前記上端付近に配置されることを特徴とする。
【００１１】
請求項６の発明は、請求項５に記載の照明装置において、前記光源が、前記脚部の前記上端付近に配置された透明若しくは透光性の樹脂またはガラスからなる光源保持部材に設置されていることを特徴とする。
【００１２】
請求項７の発明は、請求項１〜５のいずれか一項に記載の照明装置において、前記光源が、有機ＥＬまたはＬＥＤを備えた面状光源であることを特徴とする。
【００１３】
請求項８の発明は、請求項１〜７のいずれかに記載の照明装置を備えることを特徴とするテーブルである。
【発明の効果】
【００１４】
本発明によれば、脚部と、前記脚部に支持される天板とを備えるテーブルに取り付け可能な照明装置であって、下方を照らす光源を備え、前記光源が前記天板の下方に配置され、前記脚部で支持される構成であるから、天板の下方に配置された光源から下向きに発される光によって、天板の裏面と対向する床面または天板の裏面から下方に広がる空間などが照らされることで、通常の天井灯やテーブル上に置いたランプなどでは実現困難な、特有の柔らかい雰囲気を室内に演出する効果が得られる。
【００１５】
また、本発明によれば、下方を照らす光源は脚部で支持される構成であるから、天板には何ら特別な特徴や仕掛けを施す必要がないため、天然木、人造大理石、ガラス、中空金属など、様々な種類の天板の中から自由に選択して、脚部上に載置、適用することができる。
【００１６】
さらに、前記脚部は対向配置される一対の脚部材を含み、前記光源は、前記一対の脚部材の上端間に懸架されるブリッジ状の光源保持部材に保持される構成としておけば、天板の下面付近で、且つ、対向配置された一対の脚部材の間の任意の位置に光源を配置でき、また、光源保持部材の長さに応じて、配置可能な光源のサイズや光源の数を変更できるので、光源によって照らされる床面の位置や照度などをより自由にコントロール可能になる。
【００１７】
また、前記光源保持部材の両端に、前記脚部材の上端に係止可能な係止部を有する構成としておけば、光源保持部材を一対の脚部材の各上端に係止させることで、光源保持部材と脚部材とが互いに一体化して、脚部材と光源保持部材の双方の姿勢がより安定するため、そこに天板を載せることで形成されるテーブルも、より使い易いものとなる。
【００１８】
前記ブリッジ状の光源保持部材の長さが伸縮自在に設けられている構成としておけば、用いる天板の長さに合わせて、一対の脚部材どうしの間隔を変更する必要が生じた場合でも、光源保持部材の長さを伸縮によって調整することで、対応できるので、結果的に、様々な長さの天板を適用できることになる。
【００１９】
請求項１に記した発明において、さらに前記脚部の少なくとも上端付近が透明または透光性の樹脂またはガラスからなり、前記光源が前記脚部の前記上端付近に配置される構成としておけば、光源から発される光が透明若しくは透光性の樹脂またはガラスからなる脚部の少なくとも上端付近を通過することで、脚部の少なくとも上端付近そのものが光源のように光を発している状態が得られるので、さらに特別な雰囲気を室内に演出する効果が得られる。
【００２０】
前記光源が、前記脚部の前記上端付近に配置された透明若しくは透光性の樹脂またはガラスからなる光源保持部材に設置されている構成とすれば、仮に脚部を非透光性の材料で構成しても、光源からの光が脚部の上端付近に配置された透明または透光性の光源保持部材を通して周囲に放出されるので、特別な雰囲気を室内に演出する効果が得られる。なお、光源保持部材のみならず、脚部の全体を透明または透光性の材料で構成した場合には、光源からの光が光源保持部材と脚部の双方を通して周囲に放出されるので、さらに特別な雰囲気を室内に演出する効果が得られる。
【００２１】
前記光源が、有機ＥＬまたはＬＥＤを備えた面状光源である構成としておけば、光源を蛍光灯などで構成する場合に比べて、光源から発される熱量及び消費電力が小さく抑えられるので、暑い季節でもより快適で、電気代の負担が小さい照明装置が得られる。また、同構成であれば、木材製の天板が光源の熱によって変形する虞が少ないため、例えば高樹齢の天然木の一枚板からなる非常に高級な素材などを天板として使用し易くなる。
【００２２】
また、同構成であれば、光源を蛍光灯などで構成する場合に比べて、光源から発される光の色を自由に設計できるので、より特別な雰囲気を室内に演出する効果が得られる。
さらに、同構成であれば、光源を蛍光灯などで構成する場合に比べて、光源の厚さを微小に抑えることができるので、光源そのものが目立ち難い、デザイン性に優れた照明装置が得られる。
【００２３】
また、本発明によるテーブルは、請求項１〜７のいずれかに記載の照明装置を備える構成であるから、照明装置に関する各発明に対して述べた上記の内容と同様の効果が得られる。
【図面の簡単な説明】
【００２４】
【図１】本発明の第１実施形態を示す分解斜視説明図である。
【図２】第１実施形態を示す別の分解斜視説明図である。
【図３】第１実施形態に係るテーブルの一部を示す側面説明図である。
【図４】第１実施形態に係る照明装置を示す分解斜視説明図である。
【図５】第１実施形態に係るテーブルの使用状態を示す斜視説明図である。
【図６】第１実施形態で用いる光源の変形例を示す斜視説明図である。
【図７】本発明の第２実施形態を示す分解斜視説明図である。
【図８】図７のＡ−Ａ線断面図である。
【図９】第２実施形態を示す別の分解斜視説明図である。
【図１０】第２実施形態に係る光源保持部材と脚部との関係を示す縦断面説明図である。
【図１１】第２実施形態に係るテーブルの使用状態を示す斜視説明図である。
【発明を実施するための形態】
【００２５】
以下、本発明の好適な実施形態について説明する。
〔第１実施形態〕
本発明の第１実施形態について図１〜図５を用いて説明する。
図１は、本発明の第１実施形態に係る照明装置１０を備えたテーブル１００の組み立て前の状態を示す。
図１に示すように、テーブル１００は、左右一対の脚部材１１からなる脚部８と、脚部８の上に載置される照明装置１０と、脚部８に支持される矩形の天板１２とを備える。
【００２６】
脚部材１１は、第１板状体１１Ａと、第２板状体１１Ｂとを備える。第１板状体１１Ａと第２板状体１１Ｂは、いずれも床面に立設されている。第１板状体１１Ａは、図１に示すように、例えば天板１２の幅と同じ長さの横辺と、人の腰丈ほどの長さの縦辺とを有する矩形の板材で形成されている。第２板状体１１Ｂは、図１に示すように、第１板状体１１Ａの横辺の半分程度の横辺と、第１板状体１１Ａの縦辺とを有する矩形の板材で形成されている。
【００２７】
第２板状体１１Ｂは、第１板状体１１Ａの中央付近から、上記横辺に直交方向に突出する態様で、第１板状体１１Ａに一体的に連結されている。その結果、各脚部材１１は平面視においてＴ字状を呈する。そして、本実施形態において、図１に示すように、一対の脚部材１１が対向配置される。より詳しくは、２つの第２板状体１１Ｂどうしが互いに向かい合う態様で対向配置される。
また天板１２は、図１及び図２に示す様に、照明装置１０を間に挟む形で脚部８に着脱自在に支持される。
【００２８】
第１板状体１１Ａは、天板１２の前後方向の長さを越えない範囲で、十分な横辺の長さを有することが好ましい。第２板状体１１Ｂの横辺の長さは、各脚部材１１が単独で水平な床面に自立することができる程度に充分な長さを有することが好ましい。本実施形態では、第２板状体１１Ｂの横辺の長さは、第１板状体１１Ａの横辺の長さの約半分とされている。
【００２９】
照明装置１０は、左右一対の脚部材１１の上端間に懸架されるブリッジ状の光源保持部材１３と、光源として光源保持部材１３に支持された、３枚の正方形に近い矩形で薄型の面状発光パネル１８とを有する。
図２及び図３に示すように、光源保持部材１３の両端には断面がＬ字状の係止部１４Ｄが設けられている。本実施形態の光源保持部材１３は、図３に示す様に、脚部材１１の第１板状体１１Ａの上端が、この係止部１４Ｄに係入される形で脚部材１１に着脱自在に係止される。
【００３０】
ここでは、図２に示すように、同じ形状とサイズの２つの光源保持部材１３が、脚部材１１の第１板状体１１Ａの上端に、互いに平行となるように、また、第２板状体１１Ｂを間に挟むように載置される。
【００３１】
光源保持部材１３は、図４に示す様に、左右一対のコの字状の主ステー１４と、これら主ステー１４どうしを互いに向かい合う状態で連結する２本の直線状の細長い継手１５とを有する。また、光源保持部材１３の剛性を高める目的で、光源保持部材１３の長手方向の中間部位の内側には少なくとも４本の補助ステー１６が取り付けられる。
【００３２】
図４に示すように、コの字状の主ステー１４は、前後方向に延びた主アーム１４Ａと、主アーム１４Ａの両端から、主アーム１４Ａに直交方向で水平に延びた一対の直線状の補助アーム１４Ｂ，１４Ｃとからなる。主アーム１４Ａと補助アーム１４Ｂ，１４Ｃとは溶接などによって連結されている。前述した断面がＬ字状の係止部１４Ｄは、図３及び図４に示す様に、主アーム１４Ａの外側面に設けられている。
【００３３】
各補助アーム１４Ｂ，１４Ｃは、凹部が内側に面したコの字状の断面形状を備えており、前述した細長い継手１５は、この凹部内に挿入された状態のまま、長手方向にスライド可能な断面寸法となっている。
【００３４】
さらに、継手１５自身も凹部が内側に面したコの字状の断面形状を備えており、一方の補助アーム１４Ｂの凹部に係入された継手１５の凹部の底面と，他方の補助アーム１４Ｃの凹部に係入された継手１５の凹部の底面との間の間隔が、面状発光パネル１８の幅を僅かに超えるように、補助アーム１４Ｂ，１４Ｃどうしの前後の間隔が設定されている。
【００３５】
継手１５の側面には、多数の貫通孔１５Ｈが等間隔で形成されている。主ステー１４の補助アーム１４Ｂ，１４Ｃの側面にも貫通孔１４Ｈが等間隔で形成されている。補助アーム１４Ｂ，１４Ｃの貫通孔１４Ｈどうしの間隔は、継手１５の貫通孔１５Ｈどうしの間隔の整数倍（図の例では３倍）とされている。
【００３６】
したがって、補助アーム１４Ｂ，１４Ｃの一つの貫通孔１４Ｈを、継手１５のいずれかの貫通孔１５Ｈと一致させれば、補助アーム１４Ｂ，１４Ｃの隣接する別の貫通孔１４Ｈも、必然的に継手１５の別の貫通孔１５Ｈと一致する。
【００３７】
そこで、光源保持部材１３の伸縮操作、例えば補助アーム１４Ｂ，１４Ｃを継手１５に沿ってスライドさせる操作によって、光源保持部材１３の長さが天板１２のサイズに適するように、且つ、補助アーム１４Ｂ，１４Ｃの貫通孔１４Ｈと継手１５の貫通孔１５Ｈとが揃うように調節できる。そして、面状発光パネル１８を前後一対の継手１５の凹部内に係入し、主ステー１４の補助アーム１４Ｂ，１４Ｃと継手１５とを、貫通孔１４Ｈ，１５Ｈに同時に挿通させたビス１７で固定することができる。
【００３８】
なお、図１、２に示すように、このようにビス１７を挿通させる位置で、継手１５の内側に補助ステー１６を配置すれば、共通のビス１７で補助ステー１６をも同時に固定することができる。この場合、補助ステー１６の側面の貫通孔１６Ｈには、ビス１７の雄ネジ部と螺合する雌ネジが形成されているので、通常のナットは不要である。
【００３９】
また、本実施形態の照明装置１０は、図１、２及び図４に示すように、面状発光パネル１８が光源保持部材１３の長手方向で移動するのを規制する手段としてのストッパ１９を備える。ストッパ１９は、例えばゴムなどの弾性材料からなる矩形板材等からなり、面状発光パネル１８の上面と継手１５の凹部の上壁面との押し入れられると、弾性材料の元に戻ろうとする力によって面状発光パネル１８が、前記凹部に押しつけられて長手方向の移動が規制される。この規制手段は、ストッパ１９に限るものではなく、例えばネジ等を用いた手段であっても良い。
【００４０】
このように、光源保持部材１３の長さが伸縮自在に構成されているので、用いる天板１２の左右長さに合わせる等の目的で、一対の脚部材１１どうしの間隔を変更する必要が生じた場合でも、光源保持部材１３の長さを伸縮によって調整することで、対応できるので、結果的に、様々なサイズの天板１２を適用できることになる。
【００４１】
また、前述したように、光源保持部材１３の両端に備えられた係止部１４Ｄによって、光源保持部材１３を一対の脚部材１１の各上端に係止させることで、光源保持部材１３と脚部材１１とが互いに一体化して、脚部材１１と光源保持部材１３の双方の姿勢がより安定する。その結果、光源保持部材１３に天板１２を載せることで形成されるテーブル１００も、より組立をし易くまた使い易いものとなる。
【００４２】
照明装置１０の光源としての面状発光パネル１８は、有機ＥＬで構成されており、いずれも発光面が下向きとなるように光源保持部材１３に取り付けられて配置される。
光源保持部材１３は天板１２の下面に近接して配置されるので、面状発光パネル１８は天板１２の下方に配置され、且つ、脚部材１１で支持されることになる。
【００４３】
図１及び図２に示す様に、３枚の面状発光パネル１８は、各光源保持部材１３の長手方向に沿ってほぼ等間隔で配置されている。
図５に示すように、脚部材１１と光源保持部材１３と天板１２を組み立て、面状発光パネル１８への通電を行えば、全部で６枚の面状発光パネル１８から下向きに発される光が、天板１２の真下を中心とした床面を照らすことができる。なお、図では、面状発光パネル１８に通電するための配線の全部又は一部を省略している。
【００４４】
その結果、天井灯などの他の照明が明る過ぎなければ、室内に幻想的な雰囲気が演出される。なお、個々の面状発光パネル１８から発される光の光量は、図示していない調光スイッチを介して調節可能に構成することができる。
【００４５】
このように、本発明による照明装置１０は、下方を照らす面状発光パネル１８が天板１２の下方に配置され、脚部材１１で支持される構成であるから、面状発光パネル１８から下向きに発される光によって、天板１２の裏面と対向する床面などが照らされることで、通常の天井灯やテーブル上に置いたランプなどでは実現困難な、特有の柔らかい雰囲気を室内に演出する効果が得られる。
【００４６】
また、このように、照明装置１０は、対向配置される一対の脚部材１１を含み、光源（１８）は、一対の脚部材１１の上端間に懸架されたブリッジ状の光源保持部材１３に保持される構成とされているので、天板１２の下面付近で、且つ、一対の脚部材１１の間の任意の位置に面状発光パネル１８を配置でき、また、光源保持部材１３の長さに応じて、配置可能な面状発光パネル１８のサイズや数を変更できるので、面状発光パネル１８によって照らされる床面の面積や照度などを自由にコントロール可能になる。
【００４７】
さらに、下方を照らす面状発光パネル１８を保持する光源保持部材１３が、脚部材１１で支持される構成であるから、天板１２には何ら特別な特徴や仕掛けを施す必要がないため、天板１２を天然木、人造大理石、ガラス、中空金属など、様々な種類の素材の中から自由に選択して、脚部材１１上に載置し、適用することができる。
【００４８】
脚部材１１の素材もまた、木材、石材、ガラス、樹脂、金属（または中空金属）その他、自由に選択することができる。なお、脚部材１１の素材として、透明または透光性の合成樹脂またはガラスを用いることで、面状発光パネル１８から発される光による被照射範囲を、脚部材１１の外側にまで広げた形態で実施することもできる。
【００４９】
なお、ここでは、面状発光パネル１８として、ＬＥＤ以上に発熱量の小さな有機ＥＬを用いているので、天板１２が光源の熱によって変形する虞が少ないため、天板１２として、例えば高樹齢の天然木の一枚板からなる非常に高級な素材などでも天板１２として採用し易い。
【００５０】
また、蛍光灯などに比べて、発熱量や消費電力が小さいので、暑い季節でもより快適で、経済的な照明装置が得られる。さらに、蛍光灯などを用いた場合に比べて、光源の厚さを微小に抑えることができるので、光源そのものが目立ち難い、デザイン性に優れた照明装置が得られる。
【００５１】
光源保持部材１３に取り付ける面状発光パネル１８の枚数や、光源保持部材１３内での設置位置は、使用者の意図に応じて、適宜変更することができる。
なお、継手１５としては、移動棚用として市販されているステンレス鋼製などの棚柱を裏返しにして、代用することができる。
【００５２】
また、面状発光パネル１８として有機ＥＬの代わりに、図６（Ａ）、図６（Ｂ）に例示するように、複数のＬＥＤを用いた面上発光パネルを用いてもよい。図６（Ａ）に示す面状発光パネル２８は、図６（Ｂ）に示すように、箱状の基板２９に多数のＬＥＤ３０を縦横に埋め込み配置し、基板２９の全体を調光用のカバー３１で覆い、複数のビス３２で固定した構造が採用されている。カバー３１は省略してもよい。また、ＬＥＤを用いた面状発光パネルの構成方法はこれに限らない。
【００５３】
〔第２実施形態〕
本発明の第２実施形態について図７〜図１０を用いて説明する。
図７は、本発明の第２実施形態に係る照明装置２０を備えたテーブル２００の組み立て前の状態を示す。
【００５４】
図７に示すように、テーブル２００は、左右一対の脚部材２１からなる脚部９と、脚部９の上に載置される照明装置２０と、脚部９に支持される天板２２とを備える。
【００５５】
第１実施形態とは異なり、本実施形態の脚部材２１は、その全体が透明若しくは透光性の合成樹脂部材（例えばアクリル樹脂）またはガラス部材で構成されているが、外形的には、第１実施形態における脚部材１１と同様に形成される。すなわち、本実施形態の脚部材２１は、第１実施形態における第１板状体１１Ａ及び第２板状体１１Ｂと同様の外形の、第１板状体２１Ａと第２板状体２１Ｂとを備えるため、その詳細な外形についての説明を省略する。
【００５６】
第１実施形態と異なり、本実施形態の照明装置２０は、一対の脚部材の上端間に懸架されたブリッジ状ではなく、左右一対の各脚部材２１の上に、互いに同じ形態の照明装置２０がそれぞれ配置されている。
また天板２２は、図９に示す様に、照明装置２０を間に挟む形で脚部９に着脱自在に支持される。
【００５７】
図７に示すように、照明装置２０は、各脚部材２１の上端に取り付けられた光源保持部材２３を有する。光源保持部材２３は、脚部材２１と同様に、その全体が透明若しくは透光性の合成樹脂部材（例えばアクリル樹脂）またはガラス部材で構成されており、平面視において、脚部材２１の横断面形状と対応したＴ字状を呈している。
【００５８】
より具体的には、光源保持部材２３は、天板２２の前後方向に延びる第１ブロック体２３Ａと、第１ブロック体２３Ａの中央付近から天板１２の長手方向に沿ってテーブル１００の内側に一体的に突出した第２ブロック体２３Ｂとからなり、図７に示す様に、第１ブロック体２３Ａと第２ブロック体２３Ｂとは平面視Ｔ字状に連結される。
【００５９】
また、図７及び図８に示すように、光源保持部材２３の下面には、同下面の輪郭に沿って延びた平面視Ｔ字状の第１係入溝２３Ｍが形成されており、光源保持部材２３の上面には、同上面の輪郭に沿って延びた平面視Ｔ字状の第２係入溝２３Ｎが形成されている。
【００６０】
光源保持部材２３の下面の第１係入溝２３Ｍは、脚部材２１の上端面に対応する幅寸法を備えるので、図９及び図１０に示すように、脚部材２１の上端を第１係入溝２３Ｍ内に嵌め込む形で、両部材どうしを着脱自在に連結することができる。
【００６１】
光源保持部材２３の上面の第２係入溝２３Ｎの底部には、図７、図９及び図１０に示すように、照明装置２０の光源を構成する３枚の長方形の面状発光パネル２４が配置される。３枚の長方形の面状発光パネル２４は、図７、図９及び図１０に示すように、短冊状の板材３３の裏面側に複数のＬＥＤ３０が直線状に並べられた構成とされており、いずれもＬＥＤ３０から光が下向きに出射されるように配置される。
【００６２】
図１０に示すように、載置する天板２２の下面と面状発光パネル２４の接触を防ぐ目的で、第２係入溝２３Ｎの深さは、面状発光パネル２４の厚さを上回るように設定されている。
また、図９に示すように、３枚の長方形の面状発光パネル２４は、第２係入溝２３Ｎの形状に沿って、全体として概して平面視Ｔ字状を呈するように並べられている。
【００６３】
図１１に示すように、脚部材２１と光源保持部材２３と天板２２を組み立て、面状発光パネル２４への通電を行えば、全部で６枚の面状発光パネル２４から下向きに発される光が、光源保持部材２３の全体と脚部材２１の少なくとも上部を光らせる。その結果、特に、天井灯などの照明が明る過ぎければ、室内に幻想的な雰囲気が演出される。
【００６４】
このように、本発明による照明装置２０は、下方を照らす面状発光パネル２４が天板２２の下方に配置され、脚部材２１で支持される構成であるから、面状発光パネル２４から下向きに発される光によって、天板２２の裏面から下方に広がる空間などが照らされることで、通常の天井灯やテーブル上に置いたランプなどでは実現困難な、特有の柔らかい雰囲気を室内に演出する効果が得られる。
【００６５】
また、下方を照らす面状発光パネル２４は脚部材２１で支持される構成であるから、天板２２には何ら特別な特徴や仕掛けを施す必要がないため、天板２２を天然木、人造大理石、ガラス、中空金属など、様々な種類の素材の中から自由に選択して、脚部材２１上に載置し、適用することができる。
【００６６】
また、光源保持部材２３のみならず、脚部材２１の全体を透明または透光性の材料で構成すれば、図１１に示す様に、面状発光パネル２４からの光が光源保持部材２３と脚部材２１の双方を通して周囲に放出されるので、特別な雰囲気を室内に演出する効果が得られる。
【００６７】
なお、面状発光パネル２４が、脚部材２１の上端付近に配置された透明または透光性の樹脂またはガラスからなる光源保持部材２３に設置されている構成とすれば、仮に脚部材２１自体は非透光性の材料からなる構成としても、面状発光パネル２４からの光が光源保持部材２３を通して周囲に放出されるので、やはり特別な雰囲気を室内に演出する効果が得られる。
【００６８】
なお、脚部材２１の光る領域の範囲と、光源保持部材２３や脚部材２１を通過した光が床面などをどの程度の明るさで照らすかは、脚部材２１と光源保持部材２３を構成する透明または透光性の樹脂またはガラスの光透過率によって左右され、また、図示していない調光スイッチなどを介して制御される面状発光パネル２４から発される光の光量によっても或る程度調節可能である。
【００６９】
本実施形態では、面状発光パネル２４が、ＬＥＤを備えた面状光源で構成されているので、光源を蛍光灯などで構成する場合に比べて、光源から発される熱量及び消費電力が小さく抑えられるので、暑い季節でもより快適で、経済的な照明装置が得られる。また、木材製の天板が光源の熱によって変形する虞が少ないため、例えば天然木の一枚板からなる高級な素材などを天板として使用し易くなる。
【００７０】
また、光源を蛍光灯などで構成する場合に比べて、光源から発される光の色を自由に設計できるので、より特別な雰囲気を室内に演出する効果が得られる。
さらに、光源を蛍光灯などで構成する場合に比べると、光源の厚さを微小に抑えることができるので、光源そのものが目立ち難い、デザイン性に優れた照明装置が得られる。
【００７１】
なお、脚部材２１の全体ではなく、脚部材２１の上端を含む一部のみが透明または透光性となっている構成で実施することも可能であり、この場合も、脚部材２１の全体が透明または透光性となっている構成と類似の効果が得られる。
【００７２】
すなわち、脚部材２１の少なくとも上端付近が透明または透光性の樹脂またはガラスからなり、面状発光パネル２４が脚部材２１の上端付近に配置されていれば、面状発光パネル２４から発される光が脚部材２１の全体または少なくとも上端付近を通過することで、脚部材２１の全体または少なくとも上端付近そのものが光源のように光を発している状態が得られるので、特有な雰囲気を室内に演出する効果が得られるのである。
【００７３】
なお、脚部材２１や光源保持部材２３を構成する樹脂またはガラスの光透過率は必ずしも高いほど良いというわけではなく、例えばオパールガラスのような光透過率を抑制した素材や、着色された素材を用いることで、特有の効果を狙うことも可能である。
【００７４】
以上、本発明の実施形態のうち幾つかを図面に基づいて詳細に説明したが、これらはあくまでも例示であり、当業者の知識に基づいて種々の変形、改良を施した他の形態で本発明を実施することが可能である。
【００７５】
例えば、第２実施形態における光源保持部材２３を省略した構成で実施することも可能である。この場合、脚部材２１のＴ字状の上端面に、同上端面の輪郭に沿って延びたＴ字状の溝を形成しておき、その溝に数枚の面状発光パネル２４を嵌め込んだ構成とすればよい。
【００７６】
また、第１及び第２実施形態における左右一対の脚部材１１、２１の代わりに、透明または透光性の樹脂またはガラスからなる単一の脚部材を用い、同単一の脚部材と、その上に配置される照明装置と、同照明装置を挟むように上に載置される天板とでテーブルを構成してもよい。
【００７７】
第１実施形態における光源保持部材１３及び第２実施形態における光源保持部材２３の上面に、天板１２，２２の裏面を保護するなどの目的で、ウレタンなどの弾性材料からなる板状などの緩衝材を取り付けることができる。
【００７８】
なお、第１及び第２実施形態における天板１２，２２の平面視形状は必ずしも矩形である必要はなく、矩形以外の様々な多角形、円形、楕円形などを含む多種の形状の中から選択することができることは勿論である。
【産業上の利用可能性】
【００７９】
本発明は、脚部と、前記脚部に支持される天板とを備えるテーブルに取り付け可能な照明装置に従来見られた課題を解決するための技術として利用可能な発明である。
【符号の説明】
【００８０】
１０、２０  照明装置
８、９      脚部
１１、２１  脚部材
１２、２２  天板
１３、２３  光源保持部材
１４Ｄ  係止部
１８、２４、２８  面状発光パネル（光源）
３０  ＬＥＤ（光源）
１００、２００  テーブル
【図１】
2018107074.tif 000003
【図２】
2018107074.tif 000004
【図３】
2018107074.tif 000005
【図４】
2018107074.tif 000006
【図５】
2018107074.tif 000007
【図６】
2018107074.tif 000008
【図７】
2018107074.tif 000009
【図８】
2018107074.tif 000010
【図９】
2018107074.tif 000011
【図１０】
2018107074.tif 000012
【図１１】
2018107074.tif 000013